(57)【特許請求の範囲】
【請求項１】
発光管と、
当該発光管より太い内径を有し、且つ前記発光管からの光を透過する透過部を備える外装管と、
前記発光管が前記外装管の内側に位置するように当該発光管を保持する保持手段と、
前記発光管の発光を制御する制御手段であって、前記外装管の端部に備えられた制御手段と、
前記外装管の一端に外向きに備えられ、且つ前記制御手段に電力を供給する電力入力ピンと、
前記外装管の他端に外向きに備えられ、且つ前記制御手段との間が絶縁されているダミーピンと、
を備える発光灯であり、
取り付け位置に取り付けられた前記発光灯の両端部に固定される取り外し防止部材であって、予め設定された工具が用いられる場合を除いて当該発光灯が当該取り付け位置から取り外されることを防止する取り外し防止部材を固定するための固定部が、前記取り外し防止部材が固定される前記両端部の位置にそれぞれ形成されていることを特徴とする発光灯。
【請求項２】
発光管と、
当該発光管より太い内径を有し、且つ前記発光管からの光を透過する透過部を備える外装管と、
前記発光管が前記外装管の内側に位置するように当該発光管を保持する保持手段と、
前記発光管の発光を制御する制御手段であって、前記外装管の端部に備えられた制御手段と、
前記外装管の一端に外向きに備えられ、且つ前記制御手段に電力を供給する電力入力ピンと、
前記外装管の他端に外向きに備えられ、且つ前記制御手段との間が絶縁されているダミーピンと、
前記発光管と前記外装管との間の当該発光管の長手方向に延在すると共に、前記光を前記透過部に向けて反射する反射面を備えた反射部材と、
を備え、
前記反射面が導電性材料により形成され且つ接地されていることを特徴とする発光灯。
【請求項３】
請求項２に記載の発光灯において、
取り付け位置に取り付けられた前記発光灯の両端部に固定される取り外し防止部材であって、予め設定された工具が用いられる場合を除いて当該発光灯が当該取り付け位置から取り外されることを防止する取り外し防止部材を固定するための固定部が、前記取り外し防止部材が固定される前記両端部の位置にそれぞれ形成されていることを特徴とする発光灯。
【請求項４】
請求項１から請求項３のいずれか一項に記載の発光灯において、
耐熱性樹脂材料により前記外装管が形成されていることを特徴とする発光灯。
【請求項５】
請求項１から請求項４のいずれか一項に記載の発光灯において、
前記発光管がＴ５型の蛍光管であり、
前記外装管がＴ８型の蛍光管と同一の外径を有することを特徴とする発光灯。
【請求項６】
請求項１又は請求項３に記載の発光灯に用いられる前記取り外し防止部材であって、
前記両端部に取り付けられたときに前記固定部に嵌合する固定穴を、当該固定部の位置に対応した位置に備えることを特徴とする取り外し防止部材。
【発明の詳細な説明】
【技術分野】
【０００１】
本発明は、発光灯及び取り外し防止部材の技術分野に属する。より詳細には、現在一般化している蛍光灯等に代わり得る発光灯、及び当該発光灯用の取り外し防止部材の技術分野に属する。
【背景技術】
【０００２】
現在、照明器具の一種としての蛍光灯が、家庭用及び産業用として極めて広く一般化している。ここで、現在我が国で一般化している蛍光灯としては、「Ｔ８型」と言われる、直径が約２６ミリメートルの蛍光灯が多いが、蛍光灯にはこの他に、Ｔ８型よりも細いＴ５型（直径約１６ミリメートル）の蛍光灯もある。このＴ５型の蛍光灯の場合、管径が細いこともあり、消費エネルギーはＴ８型の蛍光灯のそれよりも少ない。
【０００３】
一方、近年の省エネルギー推進の傾向に沿うとすると、現在使用されているＴ８型の取付装置等をそのまま活かしつつ、Ｔ５型の蛍光灯を取り付けて使用することができれば、使用されている蛍光灯の数の多さも相まって、省エネルギーへの貢献度も大きいと考えられる。このような考えの元に検討された先行技術として、例えば下記特許文献１及び特許文献２に記載されているものがある。
【先行技術文献】
【特許文献】
【０００４】
【特許文献１】実用新案登録第３１５４４７５号公報
【特許文献２】実用新案登録第３１５３２９５号公報
【発明の概要】
【発明が解決しようとする課題】
【０００５】
しかしながら、上記特許文献１及び特許文献２に記載された技術によると、その実現のためには、かなり大がかりな器具が必要となり、また取り付け後の占有体積も拡大してしまうという問題点があった。
【０００６】
そこで本発明は、上記の各問題点に鑑みて為されたもので、その課題の一例は、簡易な構造で且つ従来と同様の占有体積により発光する、省電力な発光灯を得ると共に、合わせて使用上の安全性の向上を図ることも可能な発光灯、及び当該発光灯用の取り外し防止部材を提供することにある。
【課題を解決するための手段】
【０００７】
上記の課題を解決するために、請求項１に記載の発明は、発光管と、当該発光管より太い内径を有し、且つ前記発光管からの光を透過する透過部を備える外装管と、前記発光管が前記外装管の内側に位置するように当該発光管を保持する保持部等の保持手段と、前記発光管の発光を制御する制御手段であって、前記外装管の端部に備えられた制御回路等の制御手段と、前記外装管の一端に外向きに備えられ、且つ前記制御手段に電力を供給する電力入力ピンと、前記外装管の他端に外向きに備えられ、且つ前記制御手段との間が絶縁されているダミーピンと、を備える発光灯であり、取り付け位置に取り付けられた前記発光灯の両端部に固定される取り外し防止部材であって、予め設定された工具が用いられる場合を除いて当該発光灯が当該取り付け位置から取り外されることを防止する取り外し防止部材を固定するための固定突起等の固定部が、前記取り外し防止部材が固定される前記両端部の位置にそれぞれ形成されている。
【０００８】
請求項１に記載の発明によれば、外装管の内側に位置するように発光管が保持されており、外装管の一端に外向きに備えられた電力入力ピンから制御手段に電力を供給すると共に、制御手段から絶縁されたダミーピンを外装管の他端に外向きに備える。よって、外装管より細い発光管を外装管の内側に位置させて発光させることで、簡易な構造で且つ従来と同様の占有体積により発光する、省電力な発光灯を得ることができる。また、発光用の電力を外装管の一端からのみ供給するので、発光灯の両端から電力を供給する形式の従来の取付装置に誤って取り付けられた場合でも、その取付装置からの電力の供給を外装管の他端において遮断することで、不測の事故を未然に防止できる。
更に、既定の工具が用いられる場合を除いて発光灯が取り付け位置から取り外されることを防止する取り外し防止部材が固定可能とされている。よって、当該取り外し防止部材を使用することで、当該発光灯が取り外された後に誤って従来の発光灯が同じ場所に取り付けられることに起因する事故を、未然に防止することができる。
【０００９】
上記の課題を解決するために、請求項２に記載の発明は、発光管と、当該発光管より太い内径を有し、且つ前記発光管からの光を透過する透過部を備える外装管と、前記発光管が前記外装管の内側に位置するように当該発光管を保持する保持部等の保持手段と、前記発光管の発光を制御する制御手段であって、前記外装管の端部に備えられた制御回路等の制御手段と、前記外装管の一端に外向きに備えられ、且つ前記制御手段に電力を供給する電力入力ピンと、前記外装管の他端に外向きに備えられ、且つ前記制御手段との間が絶縁されているダミーピンと、前記発光管と前記外装管との間の当該発光管の長手方向に延在すると共に、前記光を前記透過部に向けて反射する反射面を備えた反射シート等の反射部材と、を備え、前記反射面が導電性材料により形成され且つ接地されている。
【００１０】
請求項２に記載の発明によれば、外装管の内側に位置するように発光管が保持されており、外装管の一端に外向きに備えられた電力入力ピンから制御手段に電力を供給すると共に、制御手段から絶縁されたダミーピンを外装管の他端に外向きに備える。よって、外装管より細い発光管を外装管の内側に位置させて発光させることで、簡易な構造で且つ従来と同様の占有体積により発光する、省電力な発光灯を得ることができる。また、発光用の電力を外装管の一端からのみ供給するので、発光灯の両端から電力を供給する形式の従来の取付装置に誤って取り付けられた場合でも、その取付装置からの電力の供給を外装管の他端において遮断することで、不測の事故を未然に防止できる。
更に、発光管と外装管との間の発光管の長手方向に、導電性材料により形成され且つ発光管からの光を反射し、更に接地された反射面を備える反射部材を延在させるので、発光灯としての光量を増大させつつ、当該発光による雑音等を抑制することができる。
【００１１】
上記の課題を解決するために、請求項３に記載の発明は、請求項２に記載の発光灯において、取り付け位置に取り付けられた前記発光灯の両端部に固定される取り外し防止部材であって、予め設定された工具が用いられる場合を除いて当該発光灯が当該取り付け位置から取り外されることを防止する取り外し防止部材を固定するための固定突起等の固定部が、前記取り外し防止部材が固定される前記両端部の位置にそれぞれ形成されている。
【００１２】
請求項３に記載の発明によれば、請求項２に記載の発明の作用に加えて、既定の工具が用いられる場合を除いて発光灯が取り付け位置から取り外されることを防止する取り外し防止部材が固定可能とされている。よって、当該取り外し防止部材を使用することで、当該発光灯が取り外された後に誤って従来の発光灯が同じ場所に取り付けられることに起因する事故を、未然に防止することができる。
【００１３】
上記の課題を解決するために、請求項４に記載の発明は、請求項１から請求項３のいずれか一項に記載の発光灯において、耐熱性樹脂材料により前記外装管が形成されている。
【００１４】
請求項４に記載の発明によれば、請求項１から請求項３のいずれか一項に記載の発明の作用に加えて、耐熱性樹脂材料により外装管が形成されているので、例えばガラス製の従来の管に比して、落下等による破損の際に破片が飛散すること等を防止できる。
【００１５】
上記の課題を解決するために、請求項５に記載の発明は、請求項１から請求項４のいずれか一項に記載の発光灯において、前記発光管がＴ５型の蛍光管であり、前記外装管がＴ８型の蛍光管と同一の外径を有する。
【００１６】
請求項５に記載の発明によれば、請求項１から請求項４のいずれか一項に記載の発明の作用に加えて、発光管がＴ５型の蛍光管であり、外装管がＴ８型の蛍光管と同一の外径を有するので、従来のＴ８型の蛍光管に比して省エネルギーを実現しつつ、当該Ｔ８型の蛍光管と同様の占有体積で使用することができる。
【００１７】
上記の課題を解決するために、請求項６に記載の発明は、請求項１又は請求項３に記載の発光灯に用いられる前記取り外し防止部材であって、前記両端部に取り付けられたときに前記固定部に嵌合する固定穴を、当該固定部の位置に対応した位置に備える。
【００１８】
請求項６に記載の発明によれば、請求項１又は請求項３に記載の発明の作用に加えて、固定部に対応する位置に固定穴が備えられているので、発光灯に取り外し防止部材を確実に固定することができる。
【発明の効果】
【００１９】
本発明によれば、外装管の内側に位置するように発光管が保持されており、外装管の一端に外向きに備えられた電力入力ピンから制御手段に電力を供給すると共に、制御手段から絶縁されたダミーピンを外装管の他端に外向きに備える。
【００２０】
従って、外装管より細い発光管を外装管の内側に位置させて発光させることで、簡易な構造で且つ従来と同様の占有体積により発光する、省電力な発光灯を得ることができる。また、発光用の電力を外装管の一端からのみ供給するので、発光灯の両端から電力を供給する形式の従来の取付装置に誤って取り付けられた場合でも、その取付装置からの電力の供給を外装管の他端において遮断することで、不測の事故を未然に防止できる。
更に、既定の工具が用いられる場合を除いて発光灯が取り付け位置から取り外されることを防止する取り外し防止部材が固定可能とされている。よって、当該取り外し防止部材を使用することで、当該発光灯が取り外された後に誤って従来の発光灯が同じ場所に取り付けられることに起因する事故を、未然に防止することができる。
更にまた、発光管と外装管との間の発光管の長手方向に、導電性材料により形成され且つ発光管からの光を反射し、更に接地された反射面を備える反射部材を延在させるので、発光灯としての光量を増大させつつ、当該発光による雑音等を抑制することができる。
【図面の簡単な説明】
【００２１】
【図１】実施形態に係る蛍光灯の構造を示す外観図であり、（ａ）は平面外観図であり、（ｂ）は側面外観図である。
【図２】実施形態に係る蛍光灯の構造を示す内部透視図であり、（ａ）は側面内部透視図であり、（ｂ）は（ａ）におけるＡ−Ａ’断面図である。
【図３】実施形態に係る蛍光灯における制御回路を示す回路図である。
【図４】実施形態に係る蛍光灯の分解斜視図である。
【図５】実施形態に係る取り外し防止部材の構造を示す図であり、（ａ）は正面図であり、（ｂ）は背面図であり、（ｃ）は右側面図であり、（ｄ）は上面図であり、（ｅ）は下面図である。
【図６】実施形態に係る取り外し防止部材の構造を示す外観図であり、（ａ）は当該取り外し防止部材の外観斜視図であり、（ｂ）は取り付け状態を示す外観斜視図である。
【図７】実施形態に係る取り外し防止部材の取付要領を示す外観図（Ｉ）であり、（ａ）は取り付け時の蛍光灯全体としての外観図であり、（ｂ）及び（ｃ）はそれぞれの取付部分における拡大外観図である。
【図８】実施形態に係る取り外し防止部材の取付要領を示す外観図（II）であり、（ａ）は取り付け後の蛍光灯全体としての外観図であり、（ｂ）及び（ｃ）はそれぞれの取付部分における拡大外観図である。
【発明を実施するための形態】
【００２２】
次に、本発明に係る実施形態及び変形形態について、図面に基づいて説明する。なお以下に説明する実施形態及び変形形態は、直管型の蛍光灯に対して本発明を適用した場合の実施形態及び変形形態である。
【００２３】
（Ｉ）蛍光灯の実施形態
初めに実施形態に係る蛍光灯について、図１乃至図４を用いて説明する。なお、図１は実施形態に係る蛍光灯の構造を示す外観図であり、図２は当該蛍光灯の構造を示す内部透視図であり、図３は当該蛍光灯における制御回路を示す回路図であり、図４は当該蛍光灯の分解斜視図である。
【００２４】
図１に示すように、実施形態に係る蛍光灯ＬＴは、外観上は、従来一般化しているＴ８型の蛍光灯と略同一の形状をしている。即ち実施形態に係る蛍光灯ＬＴは、例えばポリカーボネート又はアクリル等の耐熱性且つ透明の樹脂材料からなる外装管１と、外装管１の両端において当該外装管１に対して後述する蛍光管を保持する保持部１０及び保持部１２と、実施形態に係る後述する取り外し防止部材がそれぞれ嵌め込まれる取付部１１及び取付部１３と、後述する外部交流電源に接続される電力入力ピン２０及び電力入力ピン２１と、蛍光灯ＬＴを後述する取付装置に対して保持するためのみに用いられ、電気的には他の部材から絶縁されているダミーピン１５及びダミーピン１６と、により構成されている。ここで、上記保持部１０及び保持部１２が本発明に係る「保持手段」の一例に相当する。
【００２５】
以上の構成において、外装管１の外径は上記Ｔ８型の蛍光灯と同一である。また取付部１１及び取付部１３のそれぞれには、後述する取付装置における取り付け位置に蛍光灯ＬＴが取り付けられた後、後述する取り外し防止部材が嵌め込み式により取り付けられる。このため、取付部１１及び取付部１３にはそれぞれ、当該嵌め込まれた取り外し防止部材を固定するための固定突起Ｂが、両側面に二つずつ、取付部１１及び取付部１３で合わせて合計四つ、形成されている。この固定突起Ｂが本発明に係る「固定部」の一例に相当する。
【００２６】
次に、実施形態に係る蛍光灯ＬＴの内部構造等について、図１及び図２を用いて説明する。図２に示すように、外装管１の内部には、当該外装管１の内径よりも細い、例えばいわゆるＴ５型の蛍光管２が保持されている。このＴ５型の蛍光管２は上述したように、消費エネルギーが従来のＴ８型の蛍光灯よりも少ない。そして当該蛍光管２の発光を制御するための例えばインバータ式の制御回路ＩＶ１及び制御回路ＩＶ２が、取付部１１及び取付部１３それぞれの内部に収納されている。ここで以下の説明において、制御回路ＩＶ１及び制御回路ＩＶ２に共通の事項を説明する場合、これらを纏めて適宜「制御回路ＩＶ」と称する。そして、制御回路ＩＶに対する電力の供給は、後ほど図３の回路図を用いて示される通り、上記電力入力ピン２０及び電力入力ピン２１のみを介して行われる。これに対してダミーピン１５及びダミーピン１６はそれぞれ、制御回路ＩＶに対しては電気的に絶縁されている。ここで、上記制御回路ＩＶが本発明に係る「制御手段」の一例に相当する。
【００２７】
一方、外装管１と蛍光管２との間の空間には、図２に示すように、外装管１及び蛍光管２の長手方向に、当該蛍光管２に沿って、蛍光管２からの発光を反射する反射面３Ａを備えた反射シート３が延在されている。この反射シート３は図２（ｂ）に示すように、蛍光管２の中心軸（換言すれば、外装管１の中心軸）に沿った折り目により一枚の耐熱シートを折り曲げて形成されており、その蛍光管２に対向する面に反射面３Ａが形成されている。この反射面３Ａは、高い反射率を有する例えば銀系又はアルミ系等の金属材料を、当該反射面３Ａとなる耐熱シートの面に例えば蒸着することにより形成されている。この反射面３Ａは、後ほど図４に示すように、例えば制御回路ＩＶ並びに電力入力ピン２０及び電力入力ピン２１を介して接地されている。なおこの場合の接地方法としては、いわゆるアース接地の他、いわゆるフレームグラウンド又はシグナルグラウンド等の手法を用いることができる。ここで、上記反射シート３が本発明に係る「反射部材」の一例に相当する。
【００２８】
そして図２（ｂ）に例示するように、当該折り曲げられた耐熱シートの内側の空間には、蛍光灯ＬＴの両端部に備えられる上記制御回路ＩＶ１と制御回路ＩＶ２とを接続する接続線Ｗ１乃至接続線Ｗ４が、いわゆるハーネスの態様を為して通されている。これら接続線Ｗ１等についても、後ほど詳述する。また、蛍光管２の周方向におけるどの程度の範囲について、それに対向する面積の反射面３Ａを設けるかについては、例えば、外装管１の内周の長さの１０％乃至７０％程度の範囲が反射面３Ａの範囲となるのが好ましい（図２（ｂ）参照）。
【００２９】
次に、上記制御回路ＩＶ１及び制御回路ＩＶ２の構成について、図３に示す回路図及び図２（ｂ）を用いて説明する。図２（ｂ）及び図３に示すように、例えば交流１００ボルト又は交流２００ボルトである外部交流電源ＡＣに電力入力ピン２０及び電力入力ピン２１を介して接続されている制御回路ＩＶ１は、上記取付部１１内に収納されている。また制御回路ＩＶ２は、上記取付部１３内に収納されており、ダミーピン１５及びダミーピン１６からは絶縁されている。そして制御回路ＩＶ１と制御回路ＩＶ２とは、図２（ｂ）に例示する反射シート３の内側の隙間に通された接続線Ｗ１及び接続線Ｗ２により電気的に接続されている。
【００３０】
より具体的に制御回路ＩＶ１は、ヒューズＦ１と、コンデンサＣ１、コンデンサＣ２及びコンデンサＣ３と、サージアブソーバＺと、抵抗Ｒ１、抵抗Ｒ２及び抵抗Ｒ１７と、ダイオードＤ１、ダイオードＤ２及びダイオードＤ３と、リアクタンスＬ１と、四つのダイオードからなる全波整流型のダイオードブリッジＢＤ１と、が、図３に示す態様で接続されて構成されており、この制御回路ＩＶ１が取付部１１内に収納されている。そして、ダイオードＤ３の一端とコンデンサＣ３の一端のそれぞれが、接続線Ｗ１及び接続線Ｗ２を介して制御回路ＩＶ２に接続されている。
【００３１】
次に制御回路ＩＶ２は、制御ＩＣ（Integrated Circuit）５０を中心として、制御回路ＩＶ１からの接続線Ｗ１及び接続線Ｗ２に接続されているコンデンサＣ４及びコンデンサＣ５と、抵抗Ｒ３、抵抗Ｒ４、抵抗Ｒ５、抵抗Ｒ６、抵抗Ｒ７、抵抗Ｒ８、抵抗Ｒ９、抵抗Ｒ１０、抵抗Ｒ１１、抵抗Ｒ１２、抵抗Ｒ１３、抵抗Ｒ１４、抵抗Ｒ１５及び抵抗Ｒ１６と、コンデンサＣ６、コンデンサＣ７、コンデンサＣ８、コンデンサＣ９、コンデンサＣ１０、コンデンサＣ１１、コンデンサＣ１２、コンデンサＣ１３及びコンデンサＣ１４と、ダイオードＤ４と、ツェナーダイオードＤＺと、リアクタンスＬ２及びリアクタンスＬ３と、スイッチング素子Ｑ１及びスイッチング素子Ｑ２と、が、図３に示す態様で接続されて構成されており、この制御回路ＩＶ２が取付部１３内に収納されている。そして、蛍光管２と制御回路ＩＶ２とは、コネクタＣＮ３及びコネクタＣＮ４並びに接続線Ｗ３及び接続線Ｗ４を介して接続されている。このような制御回路ＩＶを用いた例えば従来と同様のインバータ方式により、外部交流電源ＡＣを源として蛍光管２の発光が制御される。ここで制御回路ＩＶ２は取付部１３内に収納されているため、当該取付部１３から離れた位置にある蛍光管２の端部には、接続線Ｗ３及び接続線Ｗ４を介して制御回路ＩＶ２が接続されている。また、実施形態に係る制御回路ＩＶには、ダイオードブリッジＢＤ１及びインバータ回路が含まれているため、蛍光灯ＬＴに対しては、交流１００ボルト又は交流２００ボルトの外部交流電源ＡＣを直接入力することが可能である。即ち蛍光灯ＬＴの使用に当たっては、従来の蛍光灯のように、整流回路及びインバータ回路を外部に別途設ける必要はない。
【００３２】
次に、特に制御回路ＩＶと、蛍光管２と、の接続状態について、図４を用いてより具体的に説明する。
【００３３】
図４に示すように蛍光管２は、保持部１０及び保持部１２を介して、外装管１と中心軸が一致するように保持されている。そして当該保持部１０及び保持部１２にそれぞれ嵌め込まれる取付部１１及び取付部１３の中に、上記制御回路ＩＶ１及び制御回路ＩＶ２がそれぞれ収納されている。そして制御回路ＩＶ１は、電力入力ピン２０及び電力入力ピン２１に接続されている。一方制御回路ＩＶ２は、反射シート３の折り目の間を通された接続線Ｗ１及び接続線Ｗ２により、制御回路ＩＶ１と接続されている。更に制御回路ＩＶ２は、コネクタＣＮ４を介して蛍光管２の一端に接続されると共に、接続線Ｗ１及び接続線Ｗ２と同様に反射シート３の折り目の間を通された接続線Ｗ３及び接続線Ｗ４を介して、蛍光管２の他端に接続されている（図３参照）。他方、取付部１３に取り付けられるダミーピン１５及びダミーピン１６は、図４にも示すとおり制御回路ＩＶからは絶縁されており、蛍光管２を含む外装管１を、蛍光灯ＬＴとしての取り付け位置に保持する役割を果たしている。
【００３４】
（II）取り外し防止部材の実施形態
次に、実施形態に係る取り外し防止部材の構造及び使用方法等について、図５乃至図８を用いて説明する。なお、図５は実施形態に係る取り外し防止部材の構造を示す図であり、図６は当該取り外し防止部材の構造を示す外観図であり、図７及び図８は当該取り外し防止部材の取付要領をそれぞれ示す外観図である。また図５において、取り外し防止部材の左側面図は、その右側面図と基本的に同一であるので、その記載を省略する。
【００３５】
実施形態に係る取り外し防止部材は、実施形態に係る蛍光灯ＬＴがその取付装置に取り付けられた後、当該蛍光灯ＬＴの取付部１１及び取付部１３のそれぞれに嵌め込み式により取り付けられる。この取り外し防止部材は、予め設定された工具が用いられる場合を除き、蛍光灯ＬＴが取り付け位置から取り外されることを防止する。
【００３６】
即ち実施形態に係る取り外し防止部材３０は、図５及び図６（ａ）に示すように、蛍光灯ＬＴの外周に沿ったＵ字状の正面形状を備えており、張り出し部３０Ｂと、外径に沿ったＵ字形状の位置決め部３０Ａと、を備える。また位置決め部３０Ａには、取り外し防止部材３０を蛍光灯ＬＴに取り付けしたときに電力入力ピン２１又はダミーピン１６が嵌め込まれる切り欠き３２が形成されている。
【００３７】
これに加えて取り外し防止部材３０の側面には、蛍光灯ＬＴの取付部１１又は取付部１３に取り外し防止部材３０が取り付けられたとき、上記各固定突起Ｂがそれぞれに嵌め込まれる位置に、固定穴３１が形成されている。そして図６（ｂ）に蛍光灯ＬＴの保持部１０の側について示すように、取り外し防止部材３０が取付部１１又は取付部１３に取り付けられたとき、対応する位置の固定穴３１に固定突起Ｂが嵌め込まれることにより、当該取り外し防止部材３０が蛍光灯ＬＴに固定される。このとき図６（ｂ）に示すように、蛍光灯ＬＴとその取付装置Ｈとの間の隙間に位置決め部３０Ａが挿入される状態で、取り外し防止部材３０が取り付けられる。この場合に電力入力ピン２１は取り外し防止部材３０の切り欠き３２に嵌め込まれ、取付装置Ｈを介して外部交流電源ＡＣに接続されることになる。一方張り出し部３０Ｂは、取り外し防止部材３０が回転されることにより、容易に取付部１１又は取付部１３から取り外されることを防止する。
【００３８】
次に、実施形態に係る取り外し防止部材３０の取付要領について、図７及び図８を用いて具体的に説明する。
【００３９】
先ず図７（ａ）に示すように、取付装置Ｈに蛍光灯ＬＴが取り付けられると、取付部１１及び取付部１３に対して、図７に示すように例えば下方から、取り外し防止部材３０がそれぞれ嵌め込まれる。そして図７及び図８に示すように、取付部１１及び取付部１３それぞれの固定突起Ｂが、それらに対応する固定穴３１に嵌め込まれることにより、各取り外し防止部材３０が取付部１１及び取付部１３に固定される。このとき、蛍光灯ＬＴの保持部１０側に取り付けられる取り外し防止部材３０と、蛍光灯ＬＴの取付部１３側に取り付けられる取り外し防止部材３０とでは、蛍光灯ＬＴの中心軸方向における取付方向が反対となることに注意を要する。そして、各取り外し防止部材３０の位置決め部３０Ａが蛍光灯ＬＴと各取付装置Ｈそれぞれとの間に挿入されることで、各取り外し防止部材３０の位置決めが為される。また各取り外し防止部材３０の張り出し部３０Ｂが、取り付け後の取り外し防止部材３０の回転を防止している。このような各取り外し防止部材３０が各取付装置Ｈと蛍光灯ＬＴとの間に取り付けられることにより、従来の蛍光灯と同様な操作（例えば、取り付けられている蛍光灯をその中心軸方向にずらして取り外す操作等）で実施形態に係る蛍光灯ＬＴが簡易に取り外されることを防止している。そして上述したように、予め設定された工具が用いられる場合を除いて取り外し防止部材３０自体を取り外すことができないため、結果として、当該予め設定された工具が用いられる場合を除いて蛍光灯ＬＴが簡易に取り外されることが防止される。
【００４０】
以上それぞれ説明したように、実施形態に係る蛍光灯ＬＴ及び取り外し防止部材３０の構造によれば、Ｔ８型の蛍光灯と同様の外径を有する外装管１の内側に位置するようにＴ５型の蛍光管２が保持されており、外装管１の一端に外向きに備えられた電力入力ピン２０及び電力入力ピン２１から制御回路ＩＶに電力を供給すると共に、制御回路ＩＶから絶縁されたダミーピン１５及びダミーピン１６を外装管１の他端に外向きに備える。よって、外装管１より細いＴ５型の蛍光管２を外装管１の内側に位置させて発光させることで、簡易な構造で且つ従来と同様の占有体積により発光する、省電力な蛍光灯ＬＴを得ることができる。また、発光用の電力を外装管１の一端からのみ供給するので、両端から電力を供給する形式の従来の蛍光灯用の取付装置に誤って蛍光灯ＬＴが取り付けられた場合でも、その取付装置からの電力の供給を外装管１の他端において遮断することで、不測の事故を未然に防止できる。なお、蛍光灯ＬＴを取付装置Ｈに保持する方法が他にあるのであれば、実施形態に係る電力入力ピン２０及び電力入力ピン２１並びにダミーピン１５及びダミーピン１６を、取付装置Ｈの位置に蛍光灯ＬＴを位置決めするためにのみ用いられるように構成してもよい。この場合でも、電力入力ピン２０及び電力入力ピン２１が制御回路ＩＶ等に接続され、ダミーピン１５及びダミーピン１６は制御回路ＩＶ等からは絶縁される。
【００４１】
また、既定の工具が用いられる場合を除いて蛍光灯１が取り付け位置から取り外されることを防止する取り外し防止部材３０が蛍光灯ＬＴに固定可能とされている。よって、当該取り外し防止部材３０を使用することで、当該蛍光灯ＬＴが取り外された後に誤って従来の蛍光灯が同じ場所に取り付けられることに起因する例えば電気的な事故等を、未然に防止することができる。
【００４２】
更に、外装管１が耐熱性の樹脂材料により形成されているので、例えばガラス製の従来の管に比して、落下等による破損の際に破片が飛散すること等を防止できる。
【００４３】
更にまた、蛍光管２と外装管１との間の蛍光管２の長手方向に、導電性且つ高反射率の材料により形成されると共に蛍光管２からの発光を反射し、更に接地された反射面３Ａを備える反射シート３を延在させるので、蛍光灯ＬＴとしての光量を増大させつつ、当該発光による雑音等を抑制することができる。この効果についてより具体的には、実施形態に係る蛍光灯ＬＴが、電子インバータ式の蛍光灯として、いわゆるＣＩＳＰＲ（Comite international Special des Perturbations Radioelectriques）１５規格に初めて適合していることを、本発明の発明者らは確認している。
【００４４】
また、Ｔ８型の蛍光灯と同一の外径を有する外装管１の中にＴ５型の蛍光管２が収納されているので、従来のＴ８型の蛍光灯に比して省エネルギーを実現しつつ、当該Ｔ８型の蛍光灯と同様の占有体積で蛍光灯ＬＴを使用することができる。
【００４５】
更に、取付部１１及び取付部１３それぞれに形成された固定突起Ｂに対応する取り外し防止部材３０の位置に固定穴３１がそれぞれ設けられているので、蛍光灯ＬＴに取り外し防止部材３０を確実に固定することができる。
【００４６】
（III）変形形態
次に、本発明に係る変形形態について説明する。
【００４７】
先ず上述した実施形態では、直管形の蛍光灯に本願を適用した場合について説明したが、これ以外に、例えばサークライト形やＵ字形の蛍光灯に本発明を適用することもできる。
【００４８】
また上述した実施形態の蛍光灯ＬＴの構成において、例えば蛍光管２と制御回路ＩＶとの寿命の差等に起因して、例えば蛍光管２の寿命の方が短い場合、外装管１及び制御回路ＩＶ等はそのままに、蛍光管２のみを簡易に交換可能な構成とすることもできる。この場合は、寿命が到来してしまった蛍光管２以外の部材を再利用できるので、資源節約の要請等に対してより貢献することができる。
【００４９】
更に上述した実施形態では、制御回路ＩＶとして、制御回路ＩＶ１と制御回路ＩＶ２とに分離されて外装管１の両端に収納されている場合について説明したが、これ以外に、外装管１のいずれか一端に、必要な制御回路が纏めて収納されていてもよい。
【００５０】
更にまた上述した実施形態では、蛍光管２を備える蛍光灯ＬＴに対して本発明を適用した場合について説明したが、本発明に係る外装管１内に備えられる発光管については、蛍光管２以外に他の発光形式の発光管を用いることも可能である。
【産業上の利用可能性】
【００５１】
以上それぞれ説明したように本発明は、照明器具、特に蛍光灯の分野に利用することが可能であり、特に、従来の蛍光灯よりも省エネルギーに、且つより安全に使用することを目的とする蛍光灯の分野に適用すれば、特に顕著な効果が得られる。
【符号の説明】
【００５２】
１    外装管
２    蛍光管
３    反射シート
３Ａ    反射面
１０、１２    保持部
１１、１３    取付部
１５、１６    ダミーピン
２０、２１    電力入力ピン
３０    取り外し防止部材
３０Ａ    位置決め部
３０Ｂ    張り出し部
３１    固定穴
３２    切り欠き
５０    制御ＩＣ
Ｂ    固定突起
ＬＴ    蛍光灯
ＩＶ１、ＩＶ２    制御回路
Ｗ１、Ｗ２、Ｗ３、Ｗ４    接続線
ＡＣ    外部交流電源
Ｆ１    ヒューズ
Ｃ１、Ｃ２、Ｃ３、Ｃ４、Ｃ５、Ｃ６、Ｃ７、Ｃ８、Ｃ９、Ｃ１０、Ｃ１１、Ｃ１２、Ｃ１３、Ｃ１４    コンデンサ
Ｚ    サージアブソーバ
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７    抵抗
Ｄ１、Ｄ２、Ｄ３、Ｄ４    ダイオード
Ｌ１、Ｌ２、Ｌ３    リアクタンス
ＢＤ１    ダイオードブリッジ
ＤＺ    ツェナーダイオード
Ｑ１、Ｑ２    スイッチング素子
ＣＮ３、ＣＮ４    コネクタ
【要約】
【課題】簡易な構造で且つ従来と同様の占有体積により発光する、省電力な蛍光灯を得ると共に、合わせて使用上の安全性の向上を図ることも可能な蛍光灯を提供する。
【解決手段】Ｔ５型の蛍光管２と、蛍光管２より太い内径を有し且つ透明な外装管１と、蛍光管２が外装管１の内側に位置するように蛍光管２を保持する保持部１０及び保持部１２と、蛍光管２からの発光を制御する制御回路ＩＶであって外装管１の端部に備えられた制御回路ＩＶ１及び制御回路ＩＶ２と、外装管１の一端に外向きに備えられ、制御回路ＩＶに電力を供給する電力入力ピン２０及び電力入力ピン２１と、外装管１の他端に外向きに備えられ、電力入力ピン２０及び電力入力ピン２１と共に外装管１を保持し、且つ制御回路ＩＶとの間が絶縁されているダミーピン１５及びダミーピン１６と、を備える。
【選択図】図１【図１】
0005810416.tif 000002
【図２】
0005810416.tif 000003
【図５】
0005810416.tif 000004
【図３】
0005810416.tif 000005
【図４】
0005810416.tif 000006
【図６】
0005810416.tif 000007
【図７】
0005810416.tif 000008
【図８】
0005810416.tif 000009